(57)【要約】      （修正有）【課題】映像表示装置を備えた薄型のカードを提供する。【解決手段】映像表示カード１０は、映像を表示するための液晶ディスプレイ１１，液晶ドライバ１２，メモリ１４，映像信号処理部／ＤＡＣ１５と、受信コイル１６、検波回路１７、電源回路１８からなる受電部により提供される。受信コイル１６は、カード用電源装置の送信コイルから電磁誘導により電力を受け取り、検波回路１７，電源回路１８により液晶ディスプレイ１１，液晶ドライバ１２，メモリ１４，映像信号処理部／ＤＡＣ１５に適した安定した電圧に返還して供給する。【選択図】図１
2008197499.tif 000002
【特許請求の範囲】
【請求項１】
映像を表示するための薄型平面表示部と、
この薄型平面表示部に表示する映像のデータを記憶する記憶部と、
前記薄型平面表示部への映像表示を制御するための制御部と、
外部から供給される電力を受け取る受電部とを有する映像表示カード。
【請求項２】
前記受電部が電磁コイルを備え、電磁誘導により外部から電力を受け取ることを特徴とする請求項１記載の映像表示カード。
【請求項３】
前記受電部が外部電源から電力を受け取るための電気接点を備えることを特徴とする請求項１記載の映像表示カード。
【請求項４】
請求項１記載の映像表示カードに映像を表示するときに前記映像表示カードに電力を供給するための電力供給部を有する映像表示カード用電源装置。
【請求項５】
請求項２記載の映像表示カードに映像を表示するときに前記映像表示カードに電力を供給するための電力供給部を有し、
前記電力供給部は電磁コイルを備え、電磁誘導により前記映像表示カード内の電磁コイルに電力を伝達することを特徴とする映像表示カード用電源装置。
【請求項６】
請求項３記載の映像表示カードに映像を表示するときに前記映像表示カードに電力を供給するための電力供給部を有し、
前記電力供給部は電気接点を備え、前記映像表示カードの電気接点と接触して電力を伝達することを特徴とする映像表示カード用電源装置。
【請求項７】
前記薄型平面表示部がバックライトを備えていないものであって、前記映像表示カードに映像を表示するときに前記映像表示カードの背面側から照明する光源をさらに備えたことを特徴とする請求項４ないし６のいずれかに記載の映像表示カード用電源装置。
【発明の詳細な説明】
【技術分野】
【０００１】
本発明は、ゲーム用映像表示カード、収集対象としての映像表示カードおよび映像表示カード用電源装置
に関する。
【背景技術】
【０００２】
本発明者は、例えば、花札、トランプなどの紙製のゲーム用カードまたはトレーディングカード、ブロマイドなどの収集対象のカードを液晶または有機ディスプレイなどの薄型の映像表示デバイス（以下ＦＰＤという）に置き換えることを考えた。これにより、１枚のカードに表示される映像を変更したり、動画を表示することができれば、カード自体に付加価値を与え、またはカードの機能を増大させることにより、新たなカード需要も期待できる。
【０００３】
これらのカードをＦＰＤで実現するためには、ＦＰＤ自体の薄型化以外に、その周辺回路、部品等も紙のように薄い（たとえば、クレジットカードの厚さのように１ｍｍ以下）のパッケージで実現する必要がある。このとき最も問題になるのがＦＰＤ駆動電力供給のための電池である。また、蛍光管、ＬＥＤ、導光板によるバックライトである。
【０００４】
ＦＰＤにより映像を表示する装置としては、特許文献１に開示されたような携帯情報端末がある。この文献では、薄型化のための構成として、電池収納部の配置を工夫が提案されている。
【０００５】
【特許文献１】特許公開２００４−３０４７４号公報
【発明の開示】
【発明が解決しようとする課題】
【０００６】
しかし、特許文献１に記載されたような携帯情報端末における電池配置の工夫では、ＦＰＤを備えかつ一般のクレジットカードのように薄いカードを実現することは不可能である。
【０００７】
本発明が対象とするカードにこのような表示装置の技術を応用しようとする場合、そのＦＰＤに映像表示するために必要な回路動作、およびその駆動時間確保のために十分な容量の電池は、その体積(厚さ)を小さくすることには、現行技術において限界があり、カードとしての厚さを１ｍｍとすることは不可能である。本発明はカードに関するものであるので、その薄型化の必要性は、携帯情報端末の比ではない。たとえば、トランプの場合、ゲームには５３枚のカードを重ねて使用する。また、トレーディングカード、ブロマイドの場合も、収集した多数のカードを重ねて保管することが多い。
【０００８】
本発明は、上記課題を解決するためになされたもので、映像表示装置を備えた薄型のカードを提供することを目的とする。
【課題を解決するための手段】
【０００９】
本発明による映像表示カードは、映像を表示するための薄型平面表示部と、この薄型平面表示部に表示する映像のデータを記憶する記憶部と、薄型平面表示部への映像表示を制御するための制御部と、外部から供給される電力を受け取る受電部とを有することを特徴とする。
このような構成とすることにより、カードの厚みを増す主な要因となる電池を内蔵する必要が無く、カードの薄型化を図ることができる。
【００１０】
受電部の一例として、電磁コイルを備え、電磁誘導により外部から電力を受け取ることを特徴とする。また、受電部の他の一例として、外部電源から電力を受け取るための電気接点を備えることを特徴とする。
【００１１】
本発明による映像表示カード用電源装置は、映像表示カードに映像を表示するときに映像表示カードに電力を供給するための電力供給部を有することを特徴とする。
このような構成とすることにより、カードに外部から電力を供給して、その映像表示のための回路を動作させることが可能となり、カードの薄型化を図ることができる。
【００１２】
電力供給部の一例として、電磁コイルを備え、電磁誘導により映像表示カード内の電磁コイルに電力を伝達することを特徴とする。また、電力供給部の他の一例として、電気接点を備え、映像表示カードの電気接点と接触して電力を伝達することを特徴とする。
【００１３】
受電部および電力供給部を電磁コイルを使用して構成することにより、電力供給のために、カード用電源装置と映像表示カードとの間の正確な位置決め、あるいは接触を必要としないという利点がある。
一方、受電部と電力供給部とを電気接点により接続する構成では、回路構成が簡単になるという利点がある。
【００１４】
本発明の他の一実施形態による映像表示カードは、薄型平面表示部がバックライトを備えていないものであって、映像表示カード用電源装置は、映像表示カードに映像を表示するときに映像表示カードの背面側から照明する光源をさらに備えたことを特徴とする。
このような構成とすることにより、カードのさらなる薄型化が容易となる。
【発明の効果】
【００１５】
本発明によれば、映像表示装置を備えた薄型のカードを提供することができる。
【発明を実施するための最良の形態】
【００１６】
図１は本発明の一実施形態による映像表示カードを示す構成図である。図１において、映像表示カード１０は、映像が表示される液晶ディスプレイ１１、液晶ディスプレイ１１を駆動する液晶ドライバ１２（マトリックスの行および列に対して２つのドライバ１２−Ｘ、１２−Ｙ）を含む。液晶ディスプレイ１１に表示される静止画、動画などの映像は、データ書き込み端子１３を経由してメモリ１４に映像データとして記憶される。メモリ１４に記憶された映像データは、映像信号処理部／ＤＡＣ１５により、液晶ドライバ１２に与えられ、液晶ディスプレイ１１に表示される。
【００１７】
これら映像を表示するための液晶ディスプレイ１１，液晶ドライバ１２，メモリ１４，映像信号処理部／ＤＡＣ１５に必要な電力は、受信コイル１６、検波回路１７、電源回路１８からなる受電部により提供される。受信コイル１６は、後述するカード用電源装置の送信コイルから電磁誘導により電力を受け取り、検波回路１７，電源回路１８により液晶ディスプレイ１１，液晶ドライバ１２，メモリ１４，映像信号処理部／ＤＡＣ１５に適した安定した電圧に返還して供給する。
【００１８】
図１に示した構成からわかるように、この実施形態による映像表示カード１０は、液晶ディスプレイ１１が通常備えるバックライトを含んでいない。また、液晶ディスプレイ１１を駆動するための電力を供給する電池を含んでいない。これら液晶ディスプレイ１１，液晶ドライバ１２，メモリ１４，映像信号処理部／ＤＡＣ１５，受信コイル１６，検波回路１７，電源回路１８は、いずれもすでに薄型化が可能な部品である。したがって、現行の技術を使用しても、１ｍｍ以下の厚さの映像表示カードを実現することができる。
【００１９】
メモリ１４は、電力供給がない場合にもその映像データを保持するフラッシュメモリなどの不揮発性メモリを使用することができる。揮発性メモリを使用する場合にも、データ保持あるいは静止画維持のみのためにカードに内蔵される電池はきわめて小型の小容量のもので済むので、カードが厚くなることは無い。
【００２０】
図２は、本発明の一実施形態によるカード用電源装置を示す構成図である。図２において、カード用電源装置２０は、ＡＣアダプタ２１、充電回路２２、電池／電源回路２３、カード検出回路２４、高周波発振回路２５、および送信コイル２６を含む。ＡＣアダプタ２１は、たとえば商用電源からの交流電圧を直流電圧に変換し、充電回路２２に与える。充電回路２２は、電池／電源回路２３の電池の充電を制御する。電池／電源回路２３は、カード検出回路２４を介して、高周波発振回路２５に直流電力を供給し、高周波発振回路２５は、これを高周波電圧に変換して送信コイル２６に与える。送信コイル２６は、高周波磁界を発生する。図１中の受信コイル１６をこの高周波磁界中に置くと、電磁誘導により電力が映像表示カード１０に供給される。
【００２１】
しかし、電磁誘導には、映像表示カード１０以外の異物、たとえば金属板を送信コイル２６に近接して置いた場合にも電流が流れて発熱するという問題がある。この問題を解決するために、カード検出回路２４を設け、映像表示カード１０を検出した場合にのみ、送信コイル２６に電力を供給する構成としている。映像表示カード１０を検出する方法としては、たとえば、受信コイル１６と送信コイル２６との間のリンクを使用して認証コードをやり取りすることが考えられる。
【００２２】
電池／電源回路２３からの電力はバックライト駆動回路２７にも与えられ、バックライトの発光部であるＬＥＤ／蛍光管２８を駆動する。ＬＥＤ／蛍光管２８からの光は、導光部であるバックライトガラス板２９により、面光源として図１中の液晶ディスプレイ１１をその裏面側から照明する。なお、カード検出回路２４によりカードを検出したときにのみＬＥＤ／蛍光管２８を点灯するように構成すれば、省電力となる。
【００２３】
図１及び図２の実施形態においては、無線による電力供給の例を示したが、図３に示すように、これを有線による電力供給とすることもできる。図３において、映像表示カード３１とカード用電源装置３５とは、電気接点３２、３３，３６，３７を接触させることにより電気的に接続できるようになっており、電力がカード用電源装置３５から映像表示カード３１に供給されるようになっている。
【００２４】
図１ないし図３に示した構成により、映像表示カード１０がバックライトおよび電池を備えることなく映像表示することが可能となり、映像表示カード１０の薄型化が可能となる。なお、映像表示カード１０の厚みを増すことになる主な要因は電池にある。極薄型のバックライトが実現できれば、映像表示カード１０にバックライトを含めることは可能である。
【００２５】
映像表示カード１０が、トレーディングカード、ブロマイドの場合、その映像には著作権、肖像権があることが多いが、その場合、メモリ１４への映像データの書き込みは、正当な権利者によりなされるようにするとよい。また、この映像データの書き込みは、正当な権利者（著作権者など）または対価を支払った者によってのみ可能とするよう制限する構成とすることもできる。なお、メモリ１４へのデータの書き込みは、データ書き込み端子１３により行うものに限られず、受信コイル１６を使用する無線リンクを介してメモリ１４に書き込むようにしても良い。
【００２６】
このように映像表示を可能にすることにより、カードを魅力のあるものとし、その収集意欲を高めることができる。したがって、カード販売数量が飛躍的に増大することが期待できる。
【００２７】
図４は、図１及び図２に示した映像表示カード１０及びカード用電源装置２０の実際の使用における組み合わせの一例を示す概略構成図である。カード配列ボード４０は、その表面に、例えば枠で囲ったカード配置部４１を複数有する。このカード配置部４１の数は、使用するカードの種類により設定可能である。カード配列ボード４０は、カード用電源装置２０を含み、カード配置部４１に対応して、送信コイル２６がそれぞれ配置されている。
【００２８】
カード配置部４１には、映像表示カード１０が置かれることになり、図４には、映像表示カード１０は受信コイル１６を、カード配置部４１は送信コイル２６をそれぞれ備えることを示している。しかし、受信コイル１６、送信コイル２６が外から見えることを意味しているものではない。各カード配置部４１には、それぞれバックライト（ＬＥＤ／蛍光管２８及びバックライトガラス板２９）が設けられている。
【００２９】
映像表示カード１０がカード配置部４１のいずれかに置かれるとき、カード検出回路２４によるカード検出に応じて、受信コイル１６と送信コイル２６との間の電磁誘導により、映像表示に必要な電力がカード用電源装置２０から映像表示カード１０に供給される。また、対応するＬＥＤ／蛍光管２８が点灯する。なお、映像表示カード１０がいずれか１つのカード配置部４１に置かれたときに、すべてのカード配置部４１が照明されるようにしてもよく、また常時すべてカード配置部４１が照明されるようにしても良い。
【００３０】
したがって、映像表示カード１０に所望の映像を表示させようとするときには、映像表示カード１０をカード配置部４１上に置くことにより、映像表示カード１０にその回路動作に必要な電力が供給され、対応するカード配置部４１の照明によって、映像を表示することができる。なお、カード配列ボード４０にスピーカ、音声合成装置を備え、映像表示カード１０のメモリ１４に記憶された音声データを受信コイル１６と送信コイル２６との間の無線リンクを介してカード配列ボード４０に送り、再生することもできる。
【００３１】
図５は、図１及び図２に示した映像表示カード１０及びカード用電源装置２０の実際の使用における組み合わせの他の例を示す概略構成図である。図５において、５０は、写真立てであり、その本体中に図２中のカード用電源装置２０を含んでおり、表側にはカード配置部５１が設けられている。カード配置部５１は、図４におけるカード配置部４１と同じ構成となっており、映像表示カード１０が５１に取り付けられると、カード検出に応じて、送信コイル２６と受信コイル１６との電磁誘導により映像表示カード１０に電力が供給されるとともにカード配置部５１のバックライトが点灯し、映像表示カード１０のメモリ１４に書き込まれた映像データが表示される。
【００３２】
図５において、６０は、定期入れであり、その本体中に図２中のカード用電源装置２０を含んでおり、カード配置部６１が設けられた面を有する。カード配置部６１は、図４におけるカード配置部４１と同じ構成となっており、映像表示カード１０が５１に取り付けられると、カード検出に応じて、送信コイル２６と受信コイル１６との電磁誘導により映像表示カード１０に電力が供給されるとともにカード配置部６１のバックライトが点灯し、映像表示カード１０のメモリ１４に書き込まれた映像データが表示される。
これらの写真立て５０および定期入れ６０は、ブロマイドとしての映像表示カード１０に映像を表示させる場合に適している。
【００３３】
図５において、７０は、カードフォルダーアルバムであり、その本体中に図２中のカード用電源装置２０を含んでおり、複数のカードポケットが設けられたシートがバインダ状に束ねられている。カードポケットのすべてにカード配置部７１を設けても良いが、その一部にのみカード配置部７１を設けるようにしても良い。カード配置部７１は、図４におけるカード配置部４１と同じ構成となっており、映像表示カード１０がカード配置部７１に取り付けられると、カード検出に応じて、送信コイル２６と受信コイル１６との電磁誘導により映像表示カード１０に電力が供給されるとともにカード配置部７１のバックライトが点灯し、映像表示カード１０のメモリ１４に書き込まれた映像データが表示される。
このカードフォルダーアルバム７０は、野球カードなどのトレーディングカードをコレクターがその収集したカードを鑑賞する場合に適している。
【００３４】
本発明は、これらの応用例のほかにも、多くの適用例が考えられ、さまざまなカード使用の形態に対応可能である。また、本発明による映像表示カードは、さまざまなカードに適用可能である。たとえば、トランプ、花札、タロットカードなどのカードゲーム用カードは、手札として持たれるだけでなく、テーブルの上などの「場「に出して、遊ぶ、占う、役を作るといった機能が生じるものである。    
【００３５】
図４に示したカード配列ボード４０を、カードゲーム専用のテーブルまたはマットとして使用することができる。映像表示カード１０と映像表示カード用電源装置２０とは電磁誘導または電気接点の接続により、データのやりとりが可能である。たとえば、花札の場合、カード配列ボード４０上に配置されたカードについて役がそろったことを検出して、特別の映像を映像表示カード１０に表示させることも可能である。
【図面の簡単な説明】
【００３６】
【図１】本発明の一実施形態による映像表示カードを示す構成図である。
【図２】本発明の一実施形態によるカード用電源装置を示す構成図である。
【図３】本発明の他の一実施形態による映像表示カードおよびカード用電源装置を示す構成図である。
【図４】図１及び図２に示した映像表示カード１０及びカード用電源装置２０の実際の使用における組み合わせの一例を示す概略構成図である。
【図５】図１及び図２に示した映像表示カード１０及びカード用電源装置２０の実際の使用における組み合わせの他の例を示す概略構成図である。
【符号の説明】
【００３７】
１０  映像表示カード
１１  液晶ディスプレイ
１２  液晶ドライバ１２
１３  データ書き込み端子
１４  メモリ
１５  映像信号処理部／ＤＡＣ
１６  受信コイル
１７  検波回路
１８  電源回路
２０  カード用電源装置
２１  ＡＣアダプタ
２２  充電回路
２３  電池／電源回路
２４  カード検出回路
２５  高周波発振回路
２６  送信コイル
２７  バックライト駆動回路
２８  ＬＥＤ／蛍光管
３１  映像表示カード
３２、３３，３６，３７  電気接点
４０  カード配列ボード
４１  カード配置部
５０  写真立て
５１，６１，７１  カード配置部
６０  定期入れ
７０  カードフォルダーアルバム
【図１】
2008197499.tif 000003
【図２】
2008197499.tif 000004
【図３】
2008197499.tif 000005
【図４】
2008197499.tif 000006
【図５】
2008197499.tif 000007